(57)【要約】【課題】画像処理装置における装置設定の利便性を向上させることを目的とする。【解決手段】原稿画像を読み取り、設定情報に従って該原稿画像を処理することが可能な画像処理装置であって、該画像処理装置は、読み取られた原稿画像が、設定情報を記載した原稿であるか否かを、予め登録されたフォーマットに基づいて識別する識別工程（ステップＳ１００７）と、読み取られた原稿画像が、設定情報を記載した原稿であると識別した場合、該読み取られた原稿画像に記載された設定情報を設定する設定工程（ステップＳ１０１６）とを実行することを特徴とする。【選択図】  図１０
2004179780.tif 000002
【特許請求の範囲】
【請求項１】
原稿画像を読み取り、設定情報に従って該原稿画像を処理することが可能な画像処理装置であって、
読み取られた原稿画像が、設定情報を記載した原稿であるか否かを、予め登録されたフォーマットに基づいて識別する識別手段と、
読み取られた原稿画像が、設定情報を記載した原稿であると識別した場合、該読み取られた原稿画像に記載された設定情報を設定する設定手段と
を備えることを特徴とする画像処理装置。
【発明の詳細な説明】
【０００１】
【発明の属する技術分野】
本発明は画像処理装置に関し、特に装置の設定を行う際のユーザビリティ向上に関するものである。
【０００２】
【従来の技術】
従来より、画像処理装置の分野においては、例えばコピー機能・ファクシミリ送受信機能・プリンタ機能など、様々な機能が統合された装置が開発され、便利になった一方で、装置における設定は複雑化し、ユーザにとっては面倒かつ難しいものとなる傾向にある。
【０００３】
一方で、装置設定の複雑化を回避し、容易に設定を行うための方法が考案されてきており、例えば設定用の原稿画像を読み取ってその画像の情報から装置の設定を行う例が特開平８−１０２８０８号公報で開示されている。また、手書き文字や音声、バーコードから装置の設定を指示することにより装置の設定を行う例が特開平９−２５８９４３号公報で開示されている。
【０００４】
【特許文献１】
特開平８−１０２８０８号公報
【特許文献２】
特開平９−２５８９４３号公報
【０００５】
【発明が解決しようとする課題】
しかしながら上記従来例は、いずれも装置が自動的に設定用紙を認識するものではなく、ある用紙が装置設定の指示であるということをユーザが設定用のボタンを押して指示するなど、ユーザは装置設定という段階を意識的に踏まなければならないとい問題があった。
【０００６】
本発明は、上記課題を鑑みてなされたものであり、画像処理装置における装置設定の利便性を向上させることを目的とする。
【０００７】
【課題を解決するための手段】
上記の目的を達成するために本発明に係る画像処理装置は以下のような構成を備える。即ち、
原稿画像を読み取り、設定情報に従って該原稿画像を処理することが可能な画像処理装置であって、
読み取られた原稿画像が、設定情報を記載した原稿であるか否かを、予め登録されたフォーマットに基づいて識別する識別手段と、
読み取られた原稿画像が、設定情報を記載した原稿であると識別した場合、該読み取られた原稿画像に記載された設定情報を設定する設定手段とを備える。
【０００８】
【発明の実施の形態】
【第１の実施形態】
以下、本発明の実施形態に係る画像処理装置について添付図面を参照して説明する。
【０００９】
図１は、本発明に係る画像処理装置の概略構成を示すブロック図である。図１において、１０１は例えばスピーカのような音声出力部で、音声メッセージ生成部１０５にて生成されたメッセージを出力する。音声メッセージ生成部１０５における音声メッセージの生成は特開平３−１４９６００号公報で開示されているような音声合成方法等、公知の技術を用いる。１０２は例えばレーザビームプリンタやインクジェットプリンタ等のプリンタで、プリンタインタフェース部１０６を介して接続されている。
【００１０】
プリンタインタフェース部１０６はプリンタ１０２の制御や外部機器との間のデータのインタフェース制御等を行う。１０３はスキャナで、スキャナインタフェース部１０７を介して接続されている。スキャナ１０３から読み込まれた画像データは、イメージバッファ１１１に蓄えられる。
【００１１】
１０４はＣＰＵボードで、システム全体の制御を行う機能を有している。１０８は例えばコンピュータ等の外部の機器と接続するための外部インタフェース部である。１０９はＦＡＸ（ファクシミリ）ボードで、通信回線に接続され、スキャナ１０３から読み込んだ画像データを通信回線を介して外部に送信したり、外部から送られてきた画像情報をプリンタ１０２で出力したりすることができる。
【００１２】
１１０はＯＣＲボードで、文字原稿を光学的に読み取ってその原稿に書かれている文字を認識する。このＯＣＲボード１１０はマークシート等を読み取って認識し、情報処理を行うことができる。
【００１３】
図２は、ＣＰＵボード１０４の構成を表す図であり、各構成はＣＰＵバス２０７で接続されている。図２において、２０１はＣＰＵで、システム全体の制御を行う。２０２はＲＯＭで、ＣＰＵボード１０４の制御プログラムや各種データが記憶されている。２０３はＲＡＭで、制御プログラムを動作させるために必要な各種データ等を一時的に保存している。また、インタフェース部２０４は、ＣＰＵボード１０４とシステムバス１１２とを接続するためのインタフェース部である。
【００１４】
２０５はパネル部で、ユーザへのメッセージ等を表示する。２０６は通信用ＲＡＭで、装置内の各ボードは、この通信用ＲＡＭ２０６を介して情報のやり取りを行う。例えばＣＰＵ２０１がプリンタ１０２に情報を送るときは、通信用ＲＡＭ２０６にリクエスト情報を書き込む。各ボードは一定時間おきにＣＰＵボード１０４の通信用ＲＡＭ２０６をチェックし、リクエスト情報が書き込まれていないかどうかを調べる。リクエスト情報が書き込まれていれば、それに応じた処理を行い、処理が終了したらその旨を通信用ＲＡＭ２０６に書き込んでＣＰＵ２０１に通知する。
【００１５】
図３〜図９に本発明に係る画像処理装置の動作を示す図を示す。
【００１６】
図３に、複写機の設定に使用される設定用紙の一例（３０１）を示す。この設定用紙３０１はマークシートでもよい。３０２はこの用紙（原稿）が設定用であるかどうかをチェックする欄であり、図４の４０２のようにこの欄がチェックされていればこの設定用紙４０１が設定を行うためのものであることを示す。
【００１７】
一方で、図５の５０２のように、この欄がチェックされていなければ設定用紙５０１自体をコピーすることができる。このように設定用であるかどうかのチェック欄を設けることで、この用紙が設定用であるかどうかをユーザだけではなく機器自体が判別することが可能になる。
【００１８】
続いて３０３は基準となる用紙が何枚目かを記入する欄である。ここで基準となる用紙とは、設定項目が空欄（未記入）の場合に適用される用紙である。例えば図９のように設定用紙を複数枚用いる場合、設定用紙の１枚目（図９：９０１）での設定に対し、設定用紙２枚目（図９：９０２）では、ユーザはその基準となる用紙を設定用紙の１枚目（図９：９０１）に設定し、その設定項目に対する変更分のみを記入するだけでよい。
【００１９】
１枚目（図９：９０１、図４：４０１）の設定を図７のデータテーブル７０２に記憶しておき、２枚目（図９：９０２、図６：６０１）の設定をデータテーブル７０３に一時記憶する。このとき、空欄の項目については基準となる設定（データテーブル７０２）の情報と統合し、データテーブル７０４に記憶することも可能である。
【００２０】
また、各項目においてデフォルト値を設定したリストを記憶しておき、１枚目の基準となる用紙としてそのデフォルト値のリストを指定することで、ユーザはデフォルト値に対する変更項目だけ記入すればよく、設定を簡単に行うことが可能になる。また、３０４は枚数、３０５は倍率、３０６は用紙、３０７はソータ、３０８は両面を設定するための記入欄である。
【００２１】
図７に、データテーブル（７０１〜７０６）を示す。各種設定用紙（図４では４０１）毎および各種設定項目（図４では４０２〜４０８）毎にデータテーブルを作成し、各々のデータを格納する。７０１は設定用紙リストを格納するテーブル、７０２、７０４は設定用紙の各設定項目におけるデータを格納するテーブル、７０３は設定用紙の各設定項目におけるデータを一時格納しておくためのテーブル、７０５はソートに関する各設定値をあらかじめ格納しておくテーブル、７０６は両面印刷に関する各設定値をあらかじめ格納しておくテーブルである。ＯＣＲ１１０で認識した結果に基づき、これらの結果をそれぞれのデータテーブルに格納する。
【００２２】
本発明の第１の実施形態に係る画像処理装置における処理について説明する。図１０に原稿画像を読み込み設定用紙であれば機器の設定を行うフローチャートを、複写機を例に示す。
【００２３】
スタートボタンが押され処理が開始されると（ステップＳ１００１）、原稿台に原稿用紙があれば（ステップＳ１００２）原稿画像をスキャナ１０３で読み込み（ステップＳ１００３）、ＯＣＲ１１０に画像を送信する（ステップＳ１００５）。原稿用紙がなければ終了する（ステップＳ１００４）。ＯＣＲ１１０にて認識した結果を受信したら（ステップＳ１００６）その認識結果よりその原稿が装置設定用の原稿であるかどうかを判別する（ステップＳ１００７）。
【００２４】
装置設定用の原稿であるかどうかの判別は、まず、ＯＣＲ１１０にて認識した結果の文字・記号・枠の位置や大きさから、所定フォーマットであるかどうかを判別する。この所定フォーマットはあらかじめ記憶しておく必要があり、ユーザがフォーマットを登録してもよい。その原稿が所定フォーマットであった場合、更に図３の３０２がチェックされているかどうかを調べる。このとき、図３の３０２がチェックされていればその原稿が装置設定を目的としていると認識する。
【００２５】
その原稿が装置設定用の原稿でなければ（ステップＳ１００７）、プリンタ部に画像を送信し（ステップＳ１００８）、装置設定用の原稿であればステップＳ１００９へと進む。設定項目のうち機器が動作する上で足りない項目がある場合は（ステップＳ１００９）その項目をリストアップし（ステップＳ１０１０）、ない場合はステップＳ１０１１へと進む。ステップＳ１０１１では設定情報を記憶し、設定情報と、もし足りない項目がある場合はその情報を音声メッセージ生成部１０５に送信する（ステップＳ１０１２）。
【００２６】
前述のように、音声メッセージの生成は特開平３−１４９６００号公報で開示されているような音声合成方法等、公知の技術を用いる。音声出力が終了したら（ステップＳ１０１３）、装置設定が正しく行われているか確認を促し（ステップＳ１０１４）、確認されれば（ステップＳ１０１５）機器に設定を行う（ステップＳ１０１６）。
【００２７】
設定が間違っていた場合や設定項目が不足している場合は、設定の訂正・補充（補正）を促し（ステップＳ１０１７）訂正・補充後（ステップＳ１０１８）ステップＳ１００９へ戻る。ここで、上記音声メッセージでの確認は、パネル部（図２：２０５）に文字や記号を表示して行ってもよい。
【００２８】
以上の説明から明らかなように、本実施形態によれば、その原稿が設定用紙かどうかをユーザが記入する欄を所定フォーマットに設けることにより、機器が設定用紙と原稿とを判別することが可能である。これにより、ユーザは設定を記入した用紙をコピー用原稿とともに原稿台にセットするという行為で簡単に機器の設定を行うことができる。
【００２９】
また、設定を設定用紙に記入することで、その場（例えば複写機の前）で面倒な設定を行う必要はなくなり、あらかじめ設定を記入しておくことが可能である。設定用紙への記入は他の人に行ってもらってもよく、また設定用紙自体をコピーすることも可能なので、難しい設定を行う際の利便性が向上する。設定用紙は図８の８０１のように原稿の途中に含むことも可能である。設定用紙以前の原稿８０２については今までの設定、設定用紙以降の原稿８０３については設定用紙８０１にて設定した内容が有効となる。
【００３０】
【第２の実施形態】
続いて、本発明に第２の実施形態に係る画像処理装置について説明する。上記第１の実施形態では１度にセットする原稿に含まれる設定用紙は１枚を前提にしたが、図９のように複数の設定用紙（９０１、９０２）を含むことも可能である。図１１にその動作を行うフローチャートを、複写機を例に示す。
【００３１】
スタートボタンが押され処理が開始されると（ステップＳ１１０１）、原稿台に原稿用紙があれば（ステップＳ１１０２）原稿画像をスキャナ１０３で読み込み（ステップＳ１１０３）、ＯＣＲ１１０に画像を送信する（ステップＳ１１０５）。
【００３２】
原稿用紙がなければ終了する（ステップＳ１１０４）。ＯＣＲ１１０にて認識した結果を受信したら（ステップＳ１１０６）その認識結果よりその原稿が装置設定用の原稿であるかどうかを判別する（ステップＳ１１０７）。装置設定用の原稿であるかどうかの判別は、まず、ＯＣＲ１１０にて認識した結果の文字・記号・枠の位置や大きさから、所定フォーマットであるかどうかを判別する。
【００３３】
この所定フォーマットはあらかじめ記憶しておく必要があり、ユーザがフォーマットを登録してもよい。その原稿が所定フォーマットであった場合、更に図３の３０２がチェックされているかどうかを調べる。このとき、図３の３０２がチェックされていればその原稿が装置設定を目的としていると認識する。
【００３４】
その原稿が装置設定用の原稿でなければ（ステップＳ１１０７）プリンタ部に画像を送信し（ステップＳ１１０８）、装置設定用の原稿であればステップＳ１１０９へと進む。基準となる設定がある場合は（ステップＳ１１０９）その設定情報を読み込み（ステップＳ１１１０）、ない場合はｄｅｆａｕｌｔの設定情報を読み込む（ステップＳ１１１１）。このｄｅｆａｕｌｔの設定情報については、あらかじめユーザが値を設定しておくことも可能である。
【００３５】
続いて、設定用の原稿画像から読み取った設定と、基準となる設定情報あるいはｄｅｆａｕｌｔの設定情報を統合し（ステップＳ１１１２）、結果をデータテーブル（図７）に記憶する（ステップＳ１１１３）。
【００３６】
上記情報の統合方法については、例えば設定用の原稿にて空欄だった部分を基準となる設定情報の値に設定するなどの方法が考えられるが、これに限定されるものではない。続いてステップＳ１１１４にて、設定された情報を音声メッセージ生成部１０５に送信する。
【００３７】
前述のように、音声メッセージの生成は特開平３−１４９６００号公報で開示されているような音声合成方法等、公知の技術を用いる。音声出力が終了したら（ステップＳ１１１５）、装置設定が正しく行われているか確認を促し（ステップＳ１１１６）、確認されれば（ステップＳ１１１７）機器に設定を行う（ステップＳ１１１８）。
【００３８】
設定が間違っていた場合は、設定の訂正を促し（ステップＳ１１１９）訂正後（ステップＳ１１２０）ステップＳ１１１３へ戻る。ここで、上記音声メッセージでの確認は、パネル部（図２：２０５）に文字や記号を表示して行ってもよい。
【００３９】
図９のように原稿中に複数の設定用紙を含めてセットした場合、設定用紙９０１以降の原稿９０３については設定用紙９０１にて設定した設定、設定用紙９０２以降の原稿９０４については設定用紙９０２にて設定した設定となる。例えば設定用紙９０１で「片面＞片面コピー」を設定し、設定用紙９０２で「片面＞両面コピー」を設定した場合は、原稿９０３については「片面＞片面コピー」、原稿９０４については「片面＞両面コピー」となる。
【００４０】
上記のように原稿の途中で設定が変わる際にも、設定を音声で読み上げる、パネル部（図２：２０５）に表示する等の手段をとることにより、ユーザにとってわかりやすいインタフェースを実現することができる。
【００４１】
【第３の実施形態】
続いて、本発明の第３の実施形態に係る画像処理装置について説明する。前述の第１の実施形態、第２の実施形態では複写機を例に示したが、ファクシミリやメールにて原稿を送信する際の装置の設定についても同様に行うことが可能である。ファクシミリの宛先や電子メール送信先アドレスを、装置に備わったボタンで設定するのではなく、あらかじめ設定用紙に記入しておくことで設定を簡単に行うことができる。
【００４２】
【第４の実施形態】
続いて、本発明の第４の実施形態に係る画像処理装置について説明する。前述の第１の実施形態、第２の実施形態において装置に設定した設定情報をデータテーブル（図７）から読み出し、プリンタ１０２で印刷することも可能である。
【００４３】
例えばコピーした原稿の最後に図１２のように設定結果用紙１２０１を印刷する。このとき、コピーした時刻も併せて印刷してもよい。また、この設定を再利用できるように特定の設定用紙に出力してもよい。このようにすることで、その原稿をいつ、どのような設定でコピーしたかを把握することができる。
【００４４】
また他の人から頼まれた場合に、頼んだ本人が設定を把握・確認することができる。上記の設定内容は印刷するだけでなく、電子メールやファクシミリで送信、あるいはネットワーク越しにコンピュータへ通知することも可能である。
【００４５】
【第５の実施形態】
続いて、本発明の第５の実施形態に係る画像処理装置について説明する。前述の第１の実施形態、第２の実施形態における設定内容の訂正・補充を行う手段については、パネル部（図２：２０５）に表示したＧＵＩ画面やボタン操作によって行う手段のほか、音声認識技術を用いることも可能である。
【００４６】
例えば図１３に示すように、マイク等の音声入力部１３０１と、入力された音声のアナログ信号をデジタル信号に変換する公知のＡ／Ｄ変換器１３０２と、入力された音声を認識する音声認識部１３０３、音声を解析する音声処理部１３０４を設ける。
【００４７】
音声認識部１３０３と音声処理部１３０４については、特開平７−２１９５９１号公報で開示されているような音声処理装置等、公知の方法を用いる。このことにより、音声対話での訂正が可能になるため、視覚に障害をもつユーザでも容易に設定の補正を行うことが可能になる。
【００４８】
【第６の実施形態】
続いて、本発明の第６の実施形態に係る画像処理装置について説明する。前述の第１の実施形態、第２の実施形態では設定用紙には機器の設定を記入したが、その他の付加情報を記入することも可能である。
【００４９】
例えば、図１４のように、設定用紙１４０１に付加情報１４０２として名前や宛先、日付等の任意の文章や画像を記入し、複写機にてコピーする際にその文や記号・画像も併せて印刷する。付加情報については、設定用の情報と同様にスキャナ１０３で読み取り、記憶する。
【００５０】
原稿（図１５：５０１）をプリンタ１０２で出力する際に上記の情報を読み込み、合成して印刷する（図１５：５０２）。上記情報の合成・印刷については、特開平０８−１０２８４４号公報で開示されているような指示される領域に所望の差込み情報を合成しながら出力する方法等、公知の技術を用いる。
【００５１】
【第７の実施形態】
続いて、本発明の第７の実施形態に係る画像処理装置について説明する。第１の実施形態、第２の実施形態では、装置設定用の原稿であるかどうかの判別に、ＯＣＲ１１０にて認識した結果の文字・記号・枠の位置や大きさから、所定フォーマットであるかどうかを判別する方法を用いたが、電子透かしや２次元バーコードを用いてもよい。
【００５２】
電子透かしを用いる場合、装置設定を目的としているという情報が透かしデータとして埋め込まれた用紙に、ユーザが設定を記入する。複写機の場合は、あるトレイにその透かしデータが埋め込まれた用紙をストックしておき、設定用紙自体をコピーする場合はその用紙を用いて印刷する。２次元バーコードの場合も同様である。
【００５３】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５４】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５５】
この場合、記憶媒体から読出されたプログラムコード自体が前述した実施形態の機能を実現することになり、そのプログラムコードを記憶した記憶媒体は本発明を構成することになる。
【００５６】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５９】
なお、本発明に係る実施態様の例を以下に列挙する。
【００６０】
［実施態様１］  原稿画像を読み取り、設定情報に従って該原稿画像を処理することが可能な画像処理装置における画像処理方法であって、
読み取られた原稿画像が、設定情報を記載した原稿であるか否かを、予め登録されたフォーマットに基づいて識別する識別工程と、
読み取られた原稿画像が、設定情報を記載した原稿であると識別した場合、該読み取られた原稿画像に記載された設定情報を設定する設定工程と
を備えることを特徴とする画像処理方法。
【００６１】
［実施態様２］  前記識別工程は、
前記読み取られた原稿画像の所定の位置に付された情報に基づいて、設定情報を記載した原稿であるか否かを識別することを特徴とする実施態様１に記載の画像処理方法。
【００６２】
［実施態様３］  前記識別工程は、
前記読み取られた原稿画像に付加された電子透かしの情報に基づいて、設定情報を記載した原稿であるか否かを識別することを特徴とする実施態様１に記載の画像処理方法。
【００６３】
［実施態様４］  前記識別工程は、
前記読み取られた原稿画像に付加された２次元バーコードの情報に基づいて、設定情報を記載した原稿であるか否かを識別することを特徴とする実施態様１に記載の画像処理方法。
【００６４】
［実施態様５］  読み取られた原稿画像を送信する画像送信工程を更に備え、
前記画像送信工程は、前記設定情報のうち、読み取られた原稿画像を送信するための宛先についての情報に従って、該読み取られた原稿画像を送信することを特徴とする実施態様１に記載の画像処理方法。
【００６５】
［実施態様６］  電子メールを送信するメール送信工程を更に備え、
前記メール送信工程は、前記設定情報のうち、電子メール送信先アドレスについての情報に従って、電子メールを送信することを特徴とする実施態様１に記載の画像処理方法。
【００６６】
［実施態様７］  前記設定情報を表示する表示工程を更に備えることを特徴とする実施態様１に記載の画像処理方法。
【００６７】
［実施態様８］  前記表示工程は、前記読み取られた原稿画像に記載された設定情報に不備がある場合に、該不備のある設定項目を表示することを特徴とする実施態様７に記載の画像処理方法。
【００６８】
［実施態様９］  前記設定情報を音声出力する音声出力工程を更に備えることを特徴とする実施態様１に記載の画像処理方法。
【００６９】
［実施態様１０］  前記音声出力工程は、前記読み取られた原稿画像に記載された設定情報に不備がある場合に、該不備のある設定項目を音声出力することを特徴とする実施態様９に記載の画像処理方法。
【００７０】
［実施態様１１］  前記設定情報を補正する補正工程を更に備えることを特徴とする実施態様１に記載の画像処理方法。
【００７１】
［実施態様１２］  前記補正工程は、認識した音声入力に基づいて前記設定情報を補正することを特徴とする実施態様１１に記載の画像処理方法。
【００７２】
［実施態様１３］  読み取られた原稿画像を合成する画像合成工程を更に備え、
前記画像合成工程は、前記設定情報に記載された、合成のための画像を用いて、画像合成を行うことを特徴とする実施態様１に記載の画像処理方法。
【００７３】
［実施態様１４］  前記原稿画像を処理するために用いた設定情報を、該原稿画像の処理後に印刷出力する印刷出力工程を更に備えることを特徴とする実施態様１に記載の画像処理方法。
【００７４】
［実施態様１５］  前記原稿画像を処理するために用いた設定情報を、過去１回または複数回にわたって記憶しておくことを特徴とする実施態様１に記載の画像処理方法。
【００７５】
［実施態様１６］  前記読み取られた原稿画像に記載された設定情報に基づいて、前記過去の設定情報を選択することを特徴とする実施態様１に記載の画像処理方法。
【００７６】
［実施態様１７］  前記選択された過去の設定情報を読み出し、該設定情報と前記読み取られた原稿画像に記載された設定情報とを用いて、新たな設定情報を生成することを特徴とする実施態様１に記載の画像処理方法。
【００７７】
［実施態様１８］  原稿画像を読み取り、設定情報に従って該原稿画像を処理することが可能な画像処理装置であって、
読み取られた原稿画像が、設定情報を記載した原稿であるか否かを、予め登録されたフォーマットに基づいて識別する識別手段と、
読み取られた原稿画像が、設定情報を記載した原稿であると識別した場合、該読み取られた原稿画像に記載された設定情報を設定する設定手段と
を備えることを特徴とする画像処理装置。
【００７８】
［実施態様１９］  実施態様１乃至１７のいずれか１つに記載の画像処理方法をコンピュータによって実現させるための制御プログラム。
【００７９】
【発明の効果】
以上説明したように本発明によれば、画像処理装置における装置設定の利便性が向上する。
【図面の簡単な説明】
【図１】本発明の各実施形態にかかる画像処理装置の構成を示すブロック図である。
【図２】本発明の各実施形態にかかる画像処理装置のＣＰＵボードの構成を示すブロック図である。
【図３】本発明の第１の実施形態にかかる画像処理装置にて用いる設定用紙の例を示す図である。
【図４】本発明の第１の実施形態にかかる画像処理装置にて用いる設定用紙の記入例を示す図である。
【図５】本発明の第１の実施形態にかかる画像処理装置にて用いる設定用紙の記入例を示す図である。
【図６】本発明の第１の実施形態にかかる画像処理装置にて用いる設定用紙の記入例を示す図である。
【図７】本発明の第１の実施形態にかかる画像処理装置におけるデータテーブルを示す図である。
【図８】本発明の第１の実施形態にかかる画像処理装置にて処理される設定用紙の配列の一例を示す図である。
【図９】本発明の第１の実施形態にかかる画像処理装置にて処理される設定用紙の配列の一例を示す図である。
【図１０】本発明の第１の実施形態にかかる画像処理装置の動作を示すフローチャートである。
【図１１】本発明の第２の実施形態にかかる画像処理装置の動作を示すフローチャートである。
【図１２】本発明の第４の実施形態にかかる画像処理装置の動作結果を示す図である。
【図１３】本発明の第５の実施形態にかかる画像処理装置の構成を示すブロック図である。
【図１４】本発明の第６の実施形態にかかる画像処理装置にて用いる設定用紙の記入例を示す図である。
【図１５】本発明の第６の実施形態にかかる画像処理装置の動作結果を示す図である。
【図１】
2004179780.tif 000003
【図２】
2004179780.tif 000004
【図３】
2004179780.tif 000005
【図４】
2004179780.tif 000006
【図５】
2004179780.tif 000007
【図６】
2004179780.tif 000008
【図７】
2004179780.tif 000009
【図８】
2004179780.tif 000010
【図９】
2004179780.tif 000011
【図１０】
2004179780.tif 000012
【図１１】
2004179780.tif 000013
【図１２】
2004179780.tif 000014
【図１３】
2004179780.tif 000015
【図１４】
2004179780.tif 000016
【図１５】
2004179780.tif 000017